(57)【要約】      （修正有）【課題】原材料（電流制限抵抗など）を節約し、電気エネルギーの消耗を減少し、製造の工程が簡易になって、交流の電力網に負荷のバランスを取れるという色彩変化を伴なう発光体を提供する。【解決手段】ランプカバー４を有し、そのランプカバー４の内部に発光ダイオード１を有する発光体であって、前記発光ダイオード１は二つ以上の色の異なる発光チップとコントローラーＩＣチップを内蔵する多色発光するオート色彩変化の発光ダイオードであり、ランプカバー４は二つ以上の異なる発光色を単色の合成光にする混色性と透光性を有する非透明材料で成形されている。【選択図】図１
0003156961.tif 000002
【実用新案登録請求の範囲】
【請求項１】
ランプカバー（４）を有し、そのランプカバー（４）の内部に発光ダイオード（１）を有する発光体であって、前記発光ダイオード（１）は二つ以上の色の異なる発光チップとコントローラーＩＣチップを内蔵する多色発光するオート色彩変化の発光ダイオードであり、前記ランプカバー（４）は二つ以上の異なる発光色を単色の合成光にする混色性と透光性を有する非透明材料で成形されていることを特徴とする色彩変化を伴なう発光体。
【請求項２】
前記したランプカバー（４）はランプベース（３）に支えられて、前記発光ダイオード（１）の両足は前記ランプベース（３）を貫通する導線に連接されていることを特徴とする請求項１に記載の色彩変化を伴なう発光体。
【請求項３】
前記したランプカバー（４）は二つの電源接点を有するランプベース（１６）（電球の口金）に支えられて、前記発光ダイオード（１）の両足は前記ランプベース（１６）の電源接点（１４、１５）に連接されていて、外部ソケットの電源接点を通して、導線と連接することを特徴とする請求項１に記載の色彩変化を伴なう発光体。
【請求項４】
前記したランプカバー（４）内にはツェナダイオード（２）を有して、前記ツェナダイオード（２）は並列で前記発光ダイオード（１）に連接されていることを特徴とする請求項１、請求項２または請求項３に記載の色彩変化を伴なう発光体。
【請求項５】
前記したランプカバー（４）内には、絶縁を一つの目的とした透明の絶縁充填物（５）が注入されていることを特徴とする請求項１、請求項２、請求項３または請求項４に記載の色彩変化を伴なう発光体。
【請求項６】
前記したランプカバー（４）は単層あるいは多層に成形されることを特徴とする請求項１、請求項２、請求項３、請求項４または請求項５に記載の色彩変化を伴なう発光体。
【請求項７】
前記したランプカバー（４）は二つの電源接点を有するランプベース（１６）（電球の口金）に支えられて、その中に、交流を直流に転換する回路を有して、前記発光ダイオード（１）の両足は前記交流を直流に転換する回路を通して、前記ランプベース（１６）の電源接点（１４、１５）に連接されていて、多彩電球として使用することを特徴とする請求項１に記載の色彩変化を伴なう発光体。
【請求項８】
複数の前記した発光体を直列、または並列でつなぎ、イルミネーションとして使用することを特徴とする請求項１に記載の色彩変化を伴なう発光体。
【請求項９】
前記したイルミネーションは、二組の半波整流フィルター回路による全波整流フィルター回路の出力に連接されることを特徴とする請求項８に記載の色彩変化を伴なう発光体。
【請求項１０】
前記したイルミネーションは、直流電源の出力に連接されることを特徴とする請求項８に記載の色彩変化を伴なう発光体。
【考案の詳細な説明】
【技術分野】
【０００１】
本考案は色彩変化を伴なう発光体に関し、それを使用したイルミネーション装置、即ち、電飾や照明のための装置に関する。特に製造が簡単、発光が穏やか、発光色が多変、鮮やか、構造が簡単、材料を節約、電力の消耗が低い、寿命が長い、性能、安全性が高いという色彩変化を伴なう発光体に関する。
【背景技術】
【０００２】
近時、各地で建造物やエンタテイメント施設、道路、公園、店舗や各種の空間で、特にイベントが行なわれる際には景観やインテリアとしての効果向上のため、イルミネーションを使用する事が多くなっている。この電飾による装飾は、従前では単色あるいは二色の発光色を有するランプ（内蔵のコントローラーＩＣチップ無し）が用いられていたので、その装飾効果は単調であり、点滅させるための装置が複雑で、故障も多く、電気エネルギーの消費量も多く、信頼性に乏しく、寿命が短く、防水性、耐衝撃性及び電気特性の不良のものがあった。
【０００３】
また、最近では光源として三色オート色彩変化の発光ダイオードを使ったものもあり、これは単色や二色ランプの装飾や照明での不足点の解消を試みているが、この三色オート色彩変化の発光ダイオードの極間電圧を効果的に定値作動電圧範囲内に制御できなかったので、三色オート色彩変化の発光ダイオードが常に異常作動状態となってしまう。
【０００４】
そして、従来は単一の発光ユニット（ランプ）の耐衝撃性が低く、破損が生じ、透明ランプカバー使用のため、光複合効果が悪く、照光効果も外観も悪く、イルミネーションとして、一部のランプは何らかの原因で、故障してしまうと、それと直列されている他のランプの全てが作動しなくなってしまうものとなっている。
【０００５】
上述した各種問題を解決するためには、中国の特許登録番号：ＺＬ２００６１００１３２３０．７及びそれを基にした実用新案登録第３１５１２０３号としてマルチカラーイルミネーション装置を提供した。この装置は電源プラグと、電源アッセンブリ及び複数の前記した発光ユニットが導線で連接されて、構成されたイルミネーション装置において、前記した発光ユニットはランプカバーと、そのランプカバーと密に接合されるランプベースとを有し、内部にプリント回路基板と、多色発光するオート色彩変化の発光ダイオードとツェナダイオードと電流制限抵抗と電源供給手段との接続部を有する発光ユニットであって、前記した電源アッセンブリはケースと、ケース内でプリント回路基板に連接される整流ダイオードとサージ防止の抵抗と放電抵抗とフィルターコンデンサーによって構成され、又は、ケースと、ケース内でプリント回路基板に連接される分圧用コンデンサーと整流用ブリッジダイオードとサージ防止の抵抗と放電抵抗とフィルターコンデンサーによって構成される。電源アッセンブリの出力に複数の前記した発光ユニットを直列している発光ユニットのアッセンブリに並列で連結されていることを特徴としている。前記したマルチカラーイルミネーション装置は、発光が穏やか、発光色が多変、鮮やか、耐衝撃性がいい、破損が発生しにくい、寿命が長いという特徴を持っているが、下記の問題が存在している。
【０００６】
第一、電源アッセンブリの中に分圧用コンデンサーを有し、発光体の中に電流制限抵抗を有するマルチカラーイルミネーション装置では、分圧用コンデンサーが電流を制限する役割をしたが、重ねて、電流制限抵抗の設置はマルチカラーイルミネーション装置に対して、電力の消耗が無駄になって、材料の浪費になって、製造のコストが高くなることが問題点である。
【０００７】
第二、電源アッセンブリの中に整流用ブリッジダイオードを有するマルチカラーイルミネーション装置では、オス、メス延長接続用コネクターで接続する時、四本の導線で並列で、結線しなければならない。コストが高くなって、製品の重量が重くなることが問題点である。
【０００８】
第三、電源アッセンブリの中に半波整流する整流ダイオードを有するマルチカラーイルミネーション装置では、オス、メス延長接続用コネクターで接続する時、三本の導線で並列で、結線することができるが、サインの交流電源の正半波には、負荷があって、サインの交流電源の負半波には、負荷はないので、交流の電力網の電力供給に負荷のバランスを取れなくなって、電力網に電気の汚染を生じることが問題点である。
【先行技術文献】
【特許文献】
【０００９】
【特許文献１】中国の特許登録番号：ＺＬ２００６１００１３２３０．７
【特許文献２】実用新案登録第３１５１２０３号公報
【考案の概要】
【考案が解決しようとする課題】
【００１０】
本考案が解決しようとする問題点は、原材料（電流制限抵抗など）を節約し、電気エネルギーの消耗を減少し、製造の工程が簡易になって、交流の電力網に負荷のバランスを取れるという色彩変化を伴なう発光体が存在しなかったという点である。
【課題を解決するための手段】
【００１１】
この目的を達成するために、本考案に係る色彩変化を伴なう発光体は、ランプカバーと、そのランプカバーと密に接合されるランプベースとを有し、内部に多色発光するオート色彩変化の発光ダイオードを有する発光体であって、前記発光ダイオードの両足は第一ランプベースを貫通する導線に連接されていて、または二つの電源接点を有する第二ランプベースの電源接点に連接されていて、前記発光ダイオードは二つ以上の色の異なる発光チップとコントローラーＩＣチップを内蔵する多色発光するオート色彩変化の発光ダイオードであって、前記ランプカバーは二つ以上の異なる発光色を単色の合成光にする混色性と透光性を有する非透明材料で成形することを特徴としている。
【００１２】
前記したランプカバー内にはツェナダイオードを有して、前記ツェナダイオードは並列で前記発光ダイオードに連接されていることを特徴とし、前記したランプカバー内には、前記発光ダイオードを一つ以上、有することを特徴とし、前記したランプカバー内には、絶縁を一つの目的とした透明の絶縁充填物が注入されていることを特徴としている。
【００１３】
前記したランプカバーは単層あるいは多層で構成されることを特徴とし、前記したランプカバーの形状は球状、柱状、提灯状、ろうそく状、ドーム状のほか、キャラクターなどの異形のものとすることができることを特徴としている。
【００１４】
前記した発光ダイオードの両足は二つの電源接点を有する第二ランプベースの電源接点に連接された時、前記第二ランプベースは電球の口金にして、その口金の二つの電源接点は外部ソケットの電源接点を通して、導線と連接することを特徴としている。
【００１５】
前記したランプカバー及びランプベースは別々二つの独立のものにして、または別れられない一体構造にすることを特徴としている。
【００１６】
前記した発光体を使用したイルミネーション装置は、外部の交流電源に繋がる交流を直流に転換する整流フィルター回路で構成されている電源アッセンブリと直列、又は並列で電源アッセンブリの直流出力に連接している複数の前記発光体で構成されていて、または直流電源と直列、又は並列で直流電源の直流出力に連接している複数の前記発光体で構成されていることを特徴としている。
【００１７】
前記した発光体を使用したイルミネーション装置は、その構造が延長連接形あるいは非延長連接形に設置され、連接形に設置された時、イルミネーション装置に設置された延長連接用のコネクタを通じて、数百個の前記した発光体を具備するイルミネーション装置になることを特徴としている。
【考案の効果】
【００１８】
本考案に係る色彩変化を伴なう発光体及びそれを使用したイルミネーション装置は下記の特徴を持っている。
【００１９】
色彩変化を伴なう発光体のカバーは、混色性と透光性を有する非透明材料で成形することによって、二つ以上の色の異なる発光チップとコントローラーＩＣチップを内蔵する多色発光するオート色彩変化の発光ダイオードから出た二つ以上の色の異なる発光色を単色の合成光にすることが出来て、色彩変化を伴なう発光体はオート色彩変化の異なる発光色を色変化することができる。そして、使用用途に応じて、ランプカバーは二層以上で構成された時、二回以上の混色することによって、混色の効果はさらにアップする。
【００２０】
前記した多色発光するオート色彩変化の発光ダイオードの中に、内蔵しているコントローラーＩＣチップは、各々色の異なる発光チップを制御する制御プログラムを設置されて、その制御プログラムのクロック信号のサイクルは、ばらつきがあるから、各発光体の色彩の移り変わりが同調できなくなって、ランダムの色彩変化になり、イルミネーションとしては、その色彩変化が各発光体で生じるので、全体として、今までにない、雅趣に富み、満足感を与える独特の電飾効果を演出することができる。
【００２１】
各前記した多色発光するオート色彩変化の発光ダイオードの中に、異なる色の発光チップの組み合わせを設置することによって、ランプカバーの混色で、各発光体は異なる単色の合成光が出来て、これで出来たイルミネーションの効果はさらによい。
【００２２】
前記したランプカバーの中に絶縁充填物を注入することによって、絶縁充填物はランプカバーの中の部品を全部包み込み、発光体の堅固度、防水性は強くなる。
【００２３】
前記したツェナダイオードと前記した発光ダイオードとを並列使用することによって従来と比べて、その性能は下記のような改善ができる。
イ．前記した発光ダイオードの極間電圧が、定額作動電圧範囲内に安定されて、前記した発光ダイオードの点灯状態は安定して、使用寿命は長くなる。
ロ．前記した発光ダイオードの内蔵されている発光チップは単色発光、多色発光、または全部発光しない時、回路の中の余り電流がバイパスされて、前記した発光ダイオードの点灯状態を安定させて、使用寿命は長くなる。
ハ．前述した直列している発光ダイオードのうち、どの発光ダイオードが故障しても、その故障した発光ダイオードをバイパスして、回路全体は正常に動作することができ、前述したイルミネーション装置の安定性、信頼性は高くなる。
ニ．前記した発光ダイオードが静電気に感電された時、その静電気をバイパスして、静電気による損害を避けることができる。
【００２４】
前記した発光体のランプベースは電球の口金にする時、前記したイルミネーション装置の使用中に、故障した発光体を交換することができる。
【００２５】
分圧用コンデンサの使用によって、前述したイルミネーション装置の発光体の使用個数は一定の範囲内で、自由に設定することができ、使用用途はさらに広がる。
【００２６】
分圧用コンデンサと整流フィルター回路による交流を直流に転換する電源アッセンブリを使用する時、前記した発光体の中の電流制限抵抗を使用しなくてもよい。そうすれば、電力の消耗が減少になって、作り方が簡単になり、材料を節約することができる。
【００２７】
前記した発光体の中に二つ以上の前記した発光ダイオードを設置した時、前記したランプカバーの混色性による単色の合成光が多くなり、それによるイルミネーション装置の点灯効果は、もっと鮮やかになる。
【００２８】
前記したイルミネーション装置に設置された延長連接用のコネクタを通じて、数百個の前記した発光体を具備するイルミネーション装置になることができる。それによるイルミネーション装置の応用範囲は広くなり、点灯効果もより綺麗になる。
【００２９】
サインの交流電源の正半波には、整流ダイオードとフィルターコンデンサーによる半波整流フィルター回路を設置して、サインの交流電源の負半波には、別の整流ダイオードとフィルターコンデンサーによる半波整流フィルター回路を設置して、この二組の半波整流フィルター回路による全波整流フィルター電源アッセンブリを使用したイルミネーション装置では、三本の導線で、並列で結線することができ、原材料の節約が実現され、使用上も便利になる。
【００３０】
前記した二組の半波整流フィルター回路による全波整流フィルター回路の出力に別々に相同数量の前記した発光体の負荷を設置することによって、サインの交流電源の正、負半波には同じ電力負荷が消耗されて、一組の整流ダイオードとフィルターコンデンサーによる半波整流フィルター回路に発生した電力網への汚染を避けることができる。
【図面の簡単な説明】
【００３１】
【図１】本考案の前記した発光体第一実施例の構造上の断面図の略図である。
【図２】図１のランプカバーの中、充填物が充填された構造上の断面図の略図である。
【図３】本考案の前記した発光体第二実施例の構造上の断面図の略図である。
【図４】図３のランプカバーの中、充填物が充填された構造上の断面図の略図である。
【図５】本考案の第一実施例の全体電気回路構造の略図である。
【図６】本考案の第二実施例の全体電気回路構造の略図である。
【図７】本考案の第三実施例の全体電気回路構造の略図である。
【図８】本考案の第四実施例の全体電気回路構造の略図である
【図９】本考案の電源アッセンブリが複数の直列している前記した発光体の片端に設置された製品の外観効果図である。
【図１０】本考案の電源アッセンブリが複数の直列している前記した発光体の片端に設置された製品の外観効果図である。
【図１１】本考案の電源アッセンブリが複数の直列している前記した発光体の真ん中に設置された製品の外観効果図である。
【図１２】本考案の電源アッセンブリが複数の直列している前記した発光体の真ん中に設置された製品の外観効果図である。
【考案を実施するための形態】
【００３２】
図面に示し、実施例で説明したように構成することで実現した。
【実施例】
【００３３】
次に、図面を参照して具体的な実施例で、本考案の色彩変化を伴なう発光体及びそれを使用したイルミネーション装置について、詳しい説明を述べる。
前記した色彩変化を伴なう発光体は、次のように、構成される。
図１、図２のように、本考案の色彩変化を伴なう発光体は、第一ランプベース（３）と第一ランプベース（３）に支えられるランプカバー（４）とを有し、前記したランプカバー（４）の内部に発光ダイオード（１）と前記した発光ダイオード（１）と並列で連接されているツェナダイオード（２）を有する。前記ダイオード（１）は二つ以上の色の異なる発光チップとコントローラーＩＣチップを内蔵する多色発光するオート色彩変化の発光ダイオードであって、前記発光ダイオード（１）の両足（端子）は第一ランプベース（３）を貫通する導線（６）に連接されている。
【００３４】
図３、図４のように、前記発光ダイオード（１）の両足（端子）は二つの電源接点を有する第二ランプベース（１６）の電源接点（１４、１５）に連接されていて、この時、前記第二ランプベース（１６）は二つの電源接点を有する電球の口金にして、その口金の二つの電源接点（１４、１５）は外部ソケットの電源接点を通して、導線と連接する。
前記ランプカバー（４）内には、前記発光ダイオード（１）を一つ以上、有することを特徴とし、前記発光ダイオード（１）を二つ以上設置された時、並列、又は直列で、連接する。
【００３５】
前記ランプカバー（４）内には、需要に応じて、電流制限抵抗が設置されて、この時、前記した並列で連接される発光ダイオード（１）とツェナダイオード（２）の片足は、電流制限抵抗を通じて、第一ランプベース（３）を貫通する導線（６）に連接されて、別の片足は、直接第一ランプベース（３）を貫通する導線（６）に連接される。又は、前記した並列で連接される発光ダイオード（１）とツェナダイオード（２）の片足は、電流制限抵抗を通じて、第二ランプベース（１６）の二つの電源接点（１４、１５）のある接点に連接されて、別の片足は、直接異なる接点に連接される。
【００３６】
前記ランプカバー（４）は二つ以上の異なる発光色を単色の合成光にする混色性と透光性を有する非透明材料で成形されて、その材料は、ポリプロピレン、ポリエチレン、ポリカーボネート等を使用することができる。
【００３７】
前記したランプカバー（４）は単層又は多層で構成することができ、その厚さは前記したランプカバー（４）の直径および前記発光ダイオード（１）の個数によって決まる。前記ランプカバー（４）は多層で構成された時、その混色の効果はもっとアップする。
【００３８】
図２、図４のように、前記したランプカバー（４）の中に絶縁を一つの目的とした透明の絶縁充填物（５）を注入することによって、ランプカバーの中の部品が全部包まれて、発光体の堅固度、防水性は強くなる。絶縁充填物は透明のエポキシ・レジン、シリコンなどの材料を使用することができる。
【００３９】
前記したランプカバー（４）の外形は、球状、提灯状、柱状、ろうそく状、ドーム状のほか、キャラクター等の異形のものを創ることができる。
前記したランプカバー（４）及びランプベース（３）は一体成形された時の一体形状は球状、提灯状、柱状、ろうそく状、ドーム状のほか、キャラクター等の異形のものを創ることができる。
【００４０】
前記した色彩変化を伴なう発光体を使用したイルミネーション装置は、次のように構成される。
イ．電源アッセンブリと複数の前記した発光体が導線で連接されて、構成されたイルミネーション装置において、前記電源アッセンブリは外部の交流電源に繋がる交流を直流に転換する整流フィルター回路で構成されていて、または分圧コンデンサと整流フィルター回路で構成されていて、または電圧降下トランスと整流フィルター回路で構成され、または定電流、定電圧及び整流フィルター回路を内蔵する交流を直流に転換する電源モジュールで構成されている。前記した整流フィルター回路はブリッジダイオードとフィルターコンデンサーによる全波整流フィルター回路で構成され、またはサインの交流電源の正、負半波に別々に対応する二組の整流ダイオードとフィルターコンデンサーによる半波整流フィルター回路を組み合わせた全波整流フィルター回路で構成されている。
ロ．電源アッセンブリと複数の前記した発光体が導線で連接されて、構成されたイルミネーション装置において、前記電源アッセンブリは直流電源で構成されていて、前記した直流電源は蓄電池等の直流能量を溜める電力供給装置で構成されている。
【００４１】
前記した整流フィルター回路は、次のように構成される。
イ．図５のように、前記した整流フィルター回路は、ブリッジダイオードとフィルターコンデンサーによる全波整流フィルター回路で構成されていて、この電源アッセンブリと複数の前記した発光体が導線で連接されて、構成されたイルミネーション装置の全体の構造は、次のように構成される。
ブリッジダイオード（８）の交流入力端子は交流入力電源を連接して、その直流出力端子は並列でフィルターコンデンサーＣ１と放電抵抗を連接して、同時に、並列で直列している複数の前記した発光体７を連接する。この時、各前記した発光体７の電流の入力側又は出力側に直列に電流制限抵抗Ｒを連接して、又はこの電流制限抵抗Ｒを使わないで、一番目の前記した発光体７とフィルターコンデンサーＣ１との間に抵抗値の大きい電流制限抵抗又は電流制限部品を設置する。
【００４２】
ロ．図６のように、前記した整流フィルター回路は、サインの交流電源の正、負半波に別々に対応する二組の整流ダイオードとフィルターコンデンサーによる半波整流フィルター回路を組み合わせた全波整流フィルター回路で構成されていて、この電源アッセンブリと複数の前記した発光体が導線で連接されて、構成されたイルミネーション装置の全体の構造は、次のように構成される。
並列しているフィルターコンデンサーＣ２と放電抵抗Ｒ２を整流ダイオードＤ１に連接して、構成された半波整流フィルター回路において、フィルターコンデンサーＣ２の負極は正方向直列しているダイオードＤ１を通じて、交流入力電源の一端に連接して、フィルターコンデンサーＣ２の正極は直接に交流入力電源の別の一端に連接する。フィルターコンデンサーＣ２の正、負極の間に、並列で直列している複数の前記した発光体７を連接する。この時、各前記した発光体７の電流の入力側又は出力側に直列に電流制限抵抗Ｒを連接して、又はこの電流制限抵抗Ｒを使わないで、一番目の前記した発光体７とフィルターコンデンサーＣ２との間に抵抗値の大きい電流制限抵抗又は電流制限部品を設置する。
【００４３】
並列しているフィルターコンデンサーＣ３と放電抵抗Ｒ３を整流ダイオードＤ２に連接して、構成された別の半波整流フィルター回路において、フィルターコンデンサーＣ３の正極は負方向直列しているダイオードＤ２を通じて、交流入力電源の一端に連接して、フィルターコンデンサーＣ３の負極は直接に交流入力電源の別の一端に連接する。フィルターコンデンサーＣ３の正、負極の間に並列で直列している複数の前記した発光体７を連接する。この時、各前記した発光体７の電流の入力側又は出力側に直列に電流制限抵抗Ｒを連接して、又はこの電流制限抵抗Ｒを使わないで、一番目の前記した発光体７とフィルターコンデンサーＣ３との間に抵抗値の大きい電流制限抵抗又は電流制限部品を設置する。
【００４４】
前記した電源アッセンブリは、次のように構成される。
イ．直接に図５、図６のような整流フィルター回路で、電源アッセンブリを構成することができる。
ロ．図７のように、分圧用コンデンサーと図５のような回路を組み合わせた方式で、電源アッセンブリを構成することができ、この電源アッセンブリと複数の前記した発光体が導線で連接されて、構成されたイルミネーション装置の全体の構造は、次のように構成される。
ブリッジダイオード（８）の交流入力の一端は、直列している分圧用コンデンサーＣ５を通して、交流入力電源の一端に連接して、ブリッジダイオード（８）の別の交流入力一端は直接に交流入力電源の別の一端に連接する。ブリッジダイオード（８）の直流出力の間に並列でフィルターコンデンサーＣ４と放電抵抗Ｒ４を連接して、同時に、並列で直列している複数の前記した発光体７を連接する。需要に応じて、一番目の前記した発光体７とフィルターコンデンサーＣ４との間に電流制限抵抗Ｒ９又は電流制限部品を設置する。
前記した分圧用コンデンサーＣ５の両端の間に並列で放電抵抗Ｒ５を連接することができる。
【００４５】
ハ．図８のように、分圧用コンデンサーと図６のような回路を組み合わせた方式で、電源アッセンブリを構成することができ、この電源アッセンブリと複数の前記した発光体が導線で連接され、構成されたイルミネーション装置の全体の構造は、次のように構成される。
並列しているフィルターコンデンサーＣ６と放電抵抗Ｒ６を整流ダイオードＤ３に連接し、構成された半波整流フィルター回路において、フィルターコンデンサーＣ６の負極は正方向直列しているダイオードＤ３と分圧用コンデンサーＣ８を通じて、交流入力電源の一端に連接し、フィルターコンデンサーＣ６の正極は直接に交流入力電源の別の一端に連接する。フィルターコンデンサーＣ６の正、負極の間に、並列で直列している複数の前記した発光体７を連接する。需要に応じて、一番目の前記した発光体７とフィルターコンデンサーＣ６との間に電流制限抵抗Ｒ１０又は電流制限部品を設置する。
【００４６】
並列しているフィルターコンデンサーＣ７と放電抵抗Ｒ７を整流ダイオードＤ４に連接して、構成された別の半波整流フィルター回路において、フィルターコンデンサーＣ７の正極は負方向直列しているダイオードＤ４と分圧用コンデンサーＣ８を通じて、交流入力電源の一端に連接して、フィルターコンデンサーＣ７の負極は直接に交流入力電源の別の一端に連接する。フィルターコンデンサーＣ７の正、負極の間に、並列で直列している複数の前記した発光体７を連接する。需要に応じて、一番目の前記した発光体７とフィルターコンデンサーＣ７との間に電流制限抵抗Ｒ１１又は電流制限部品を設置する。
前記した分圧用コンデンサーＣ８の両端の間に並列で放電抵抗Ｒ８を連接することができる。
【００４７】
ニ．電圧降下トランスと図５のような回路を組み合わせた方式（格別の図はない）で、電源アッセンブリを構成することができ、この電源アッセンブリと複数の前記した発光体が導線で連接され、構成されたイルミネーション装置の全体の構造は、次のように構成される。
図５の回路のブリッジダイオード（８）の交流入力端子は電圧降下トランスの出力端を連接して、電圧降下トランスの入力端は交流入力電源を連接して、ブリッジダイオード（８）の直流出力端子は並列でフィルターコンデンサーＣ１と放電抵抗Ｒ１を連接して、同時に、並列で直列している複数の前記した発光体７を連接する。この時、各前記した発光体７の電流の入力側又は出力側に直列に電流制限抵抗Ｒを連接して、又はこの電流制限抵抗Ｒを使わないで、一番目の前記した発光体７とフィルターコンデンサーＣ１との間に抵抗値の大きい電流制限抵抗又は電流制限部品を設置する。
【００４８】
ホ．定電流、定電圧と整流フィルター回路を内蔵する交流を直流に転換する電源モジュールと複数の前記した発光体が導線で連接され、構成されたイルミネーション装置の全体の構造（格別の図はない）は、次のように構成される。
電源モジュールの交流入力端は交流入力電源を連接して、電源モジュールの直流出力端は直列、又は並列している複数の前記した発光体７を連接する。
前記した電源アッセンブリはケースを設置し、ケースの中に絶縁充填物を注入することができる。絶縁充填物はエポキシ・レジン、シリコン等の材料を使用することができる。ケースの中に絶縁充填部を注入することによって、ケースの中の部品（分圧、変圧、フィルター、放電、電源モジュールなど）及び半田物を全部包んで、空気と遮断させて、電源アッセンブリの堅固度、防水性は強くなる。
【００４９】
図６、図８の前記した発光体を使用したイルミネーション装置の中で、前記した二組の半波整流フィルター回路による全波整流フィルター回路の出力に、別々に相同数量の前記した発光体の負荷を設置することによって、サインの交流電源の正半波にしても、負半波にしても、同じ電力負荷が消耗されて、一組の整流ダイオードとフィルターコンデンサーによる半波整流フィルター回路に発生した電力網への汚染を避けることができる。
【００５０】
前記した発光体を使用したイルミネーション装置の結線構造は、次のように構成される。
イ．図５、図７の回路による前記した発光体を使用したイルミネーション装置の製品の外観効果図は、図９、図１０のように示される。図９の電源アッセンブリ９ａ（又は図７の９ｂ）は、直接に電源プラグ１０を連接して、独自に、シングルイルミネーション装置として使用することもできる。図１０の電源アッセンブリ９ａ（又は図７の９ｂ）は、コネクタ１１を通じて、電源プラグ１０を連接して、独自に、シングルイルミネーション装置として使用することもできるし、電源プラグ１０を使わないで、コネクタ１１を通じて、他のコネクタ製品を組んで（例えば、滝式ライト）、使用することもできる。これらは、全部、延長接続できない構造となっている。
【００５１】
ロ．図６、図８の回路による前記した発光体を使用したイルミネーション装置の製品の外観効果図は、図１１、図１２のように示され、電源アッセンブリ１２ａ（又は図８の１２ｂ）がイルミネーション装置の真ん中に設置される。図１１のイルミネーション装置は延長接続できない構造で、直列している複数の前記した発光体の片方にコネクタ１１が設置されて、コネクタ１１を通じて、電源プラグ１０を連接して、独自に、シングルイルミネーション装置として使用することもできるし、電源プラグ１０を使わないで、コネクタ１１を通じて、他のコネクタ製品を組んで（例えば、滝式ライト）、使用することもできる。図１２のイルミネーション装置は延長接続できる構造で、直列している複数の前記した発光体の両方にコネクタ１１が設置されて、コネクタ１１を通じて、電源プラグ１０を連接して、独自に、シングルイルミネーション装置として使用することもできるし、電源プラグ１０を使わないで、コネクタ１１を通じて、他のコネクタ製品を組んで（例えば、滝式ライト）、使用することもでき、同時に、複数のほかの電源プラグ１０のないこの構造のイルミネーション装置はオス、メスコネクタと連接することによって、数百の前記した発光体を有するイルミネーション装置が構成できる。
【００５２】
前記した発光体を使用したイルミネーション装置は結線の構造から、延長接続型（図１２）と非延長接続型（図９、図１０、図１１）を分類している。延長接続型の場合、市場の需要に応じて、接続用のコネクタを通じて、各種形式の接続応用を実現することができる。
【００５３】
図６、図８の回路のように、前記した二組の半波整流フィルター回路による全波整流フィルター回路で構成した電源アッセンブリを使用したイルミネーション装置では、三本の導線で、並列で結線することができ、原材料の節約を実現でき、使用上も便利になる。
【産業上の利用可能性】
【００５４】
以上は、図面と実施例を参照して、本考案の色彩変化を伴なう発光体を使用したイルミネーション装置について、詳しい陳述していたが、それは説明性のものだけで、限定するものではない。図面の示した内容は本考案の幾つかの実施例だけで、ほかに、たくさんの実施方法がある。本分野の関係者は、本考案を参考にしたうえで、本考案の全体の構想を離れない変化と改正は、本考案の保護範囲以内に属することとする。
【符号の説明】
【００５５】
１    発光ダイオード
２    ツェナダイオード
３    第一ランプベース
４    ランプカバー
５    充填物
６    電源導線
７    色彩変化を伴なう発光体
８    ブリッジダイオード
９ａ  電源アッセンブリ
９ｂ  電源アッセンブリ
１０  電源プラグ
１１  コネクタ
１２ａ  電源アッセンブリ
１２ｂ  電源アッセンブリ
１３  口金の絶縁輪
１４  口金の電源接点
１５  口金の電源接点
１６  第二ランプベース
【図１】
0003156961.tif 000003
【図２】
0003156961.tif 000004
【図３】
0003156961.tif 000005
【図４】
0003156961.tif 000006
【図５】
0003156961.tif 000007
【図６】
0003156961.tif 000008
【図７】
0003156961.tif 000009
【図８】
0003156961.tif 000010
【図９】
0003156961.tif 000011
【図１０】
0003156961.tif 000012
【図１１】
0003156961.tif 000013
【図１２】
0003156961.tif 000014
【手続補正書】
【提出日】平成21年11月25日(2009.11.25)
【手続補正１】
【補正対象書類名】実用新案登録請求の範囲
【補正対象項目名】全文
【補正方法】変更
【補正の内容】
【実用新案登録請求の範囲】
【請求項１】
ランプカバー（４）を有し、そのランプカバー（４）の内部に発光ダイオード（１）を有する発光体であって、前記発光ダイオード（１）は二つ以上の色の異なる発光チップとコントローラーＩＣチップを内蔵する多色発光するオート色彩変化の発光ダイオードであり、前記ランプカバー（４）は二つ以上の異なる発光色を単色の合成光にする混色性と透光性を有する非透明材料で成形されていることを特徴とする色彩変化を伴なう発光体。
【請求項２】
前記したランプカバー（４）はランプベース（３）に支えられて、前記発光ダイオード（１）の両足は前記ランプベース（３）を貫通する導線に連接されていることを特徴とする請求項１に記載の色彩変化を伴なう発光体。
【請求項３】
前記したランプカバー（４）は二つの電源接点を有するランプベース（１６）（電球の口金）に支えられて、前記発光ダイオード（１）の両足は前記ランプベース（１６）の電源接点（１４、１５）に連接されていて、外部ソケットの電源接点を通して、導線と連接することを特徴とする請求項１に記載の色彩変化を伴なう発光体。
【請求項４】
前記したランプカバー（４）内にはツェナダイオード（２）を有して、前記ツェナダイオード（２）は並列で前記発光ダイオード（１）に連接されていることを特徴とする請求項１乃至３のいずれか１項に記載の色彩変化を伴なう発光体。
【請求項５】
前記したランプカバー（４）内には、絶縁を一つの目的とした透明の絶縁充填物（５）が注入されていることを特徴とする請求項１乃至４のいずれか１項に記載の色彩変化を伴なう発光体。
【請求項６】
前記したランプカバー（４）は単層あるいは多層に成形されることを特徴とする請求項１乃至５のいずれか１項に記載の色彩変化を伴なう発光体。
【請求項７】
前記したランプカバー（４）は二つの電源接点を有するランプベース（１６）（電球の口金）に支えられて、その中に、交流を直流に転換する回路を有して、前記発光ダイオード（１）の両足は前記交流を直流に転換する回路を通して、前記ランプベース（１６）の電源接点（１４、１５）に連接されていて、多彩電球として使用することを特徴とする請求項１に記載の色彩変化を伴なう発光体。
【請求項８】
複数の前記した発光体を直列、または並列でつなぎ、イルミネーションとして使用することを特徴とする請求項１に記載の色彩変化を伴なう発光体。
【請求項９】
前記したイルミネーションは、二組の半波整流フィルター回路による全波整流フィルター回路の出力に連接されることを特徴とする請求項８に記載の色彩変化を伴なう発光体。
【請求項１０】
前記したイルミネーションは、直流電源の出力に連接されることを特徴とする請求項８に記載の色彩変化を伴なう発光体。